(57)【要約】【課題】  日射遮蔽材を窓面に対し相対的に移動可能且つ固定可能な日射遮蔽装置を提供する。【解決手段】  開口部を有する建物から室外へ突出する突出物の下面に固定される長尺のレール１３と、レール１３の長手方向において所定幅を有し、開口部の少なくとも一部から建物内へ入射する直射光を遮蔽可能な日射遮蔽材１１と、日射遮蔽材１１の幅方向へ移動可能に上方からレールに吊持され、日射遮蔽材１１を垂下する本体１０と、本体１０を上下に挿通する部材であって、本体１０の上方から突出してレール１３に係合する係合部１５ａと、本体１０の下方から突出して係合部１５ａによるレール１３との係合を解除する操作部１５ｂとを有するストッパ１５とを備える。【選択図】図８
2016125225.tif 000002
【特許請求の範囲】
【請求項１】
開口部を有する建物から室外へ突出する突出物の下面に固定される長尺のレール（１３）と、
レールの長手方向において所定幅を有し、開口部の少なくとも一部から建物内へ入射する直射光を遮蔽可能な日射遮蔽材（１１）と、
日射遮蔽材の幅方向へ移動可能に上方からレールに吊持され、日射遮蔽材を垂下する本体（１０）と、
本体を上下に挿通する部材であって、本体の上方から突出してレールに係合する係合部（１５ａ）と、本体の下方から突出して係合部によるレールとの係合を解除する操作部（１５ｂ）とを有するストッパ（１５）とを備える日射遮蔽装置。
【請求項２】
レールには、係合部が下方から挿通可能な係合孔（１３１）が形成されることを特徴とする請求項１に記載の日射遮蔽装置。
【請求項３】
レールには、長手方向に沿って所定間隔を空けて係合孔が複数形成されることを特徴とする請求項２に記載の日射遮蔽装置。
【請求項４】
ストッパは弾性体（１５３）によって上方へ常時付勢され、操作部は弾性体による弾性力に抗してストッパを下方へ移動可能に形成されることを特徴とする請求項１乃至請求項３のいずれか一項に記載の日射遮蔽装置。
【請求項５】
レールは、長手方向に沿って溝形に形成された案内部（１３０）を有し、ストッパは案内部により案内されることを特徴とする請求項１乃至請求項４に記載の日射遮蔽装置。
【請求項６】
ストッパは、係合部が案内部の溝底に当接するように弾性体によって上方へ常時付勢されることを特徴とする請求項５に記載の日射遮蔽装置。
【請求項７】
係合孔は、案内部の溝底に形成されることを特徴とする請求項５または請求項６に記載の日射遮蔽装置。
【発明の詳細な説明】
【技術分野】
【０００１】
本発明は、長手方向にスライドする日射遮蔽装置に関する。
【背景技術】
【０００２】
従来、窓などの開口部から屋内へ入射する日射を屋外で遮蔽する日射遮蔽装置が知られている。このような日射遮蔽装置によれば、屋外に設置される日射遮蔽装置と比較して、日射による室温の上昇を防ぐ効果は高くなる。日射遮蔽装置を屋内に設置した場合、日射遮蔽装置は開口部である窓ガラスから入射した後に日射を遮蔽しているため、日射遮蔽効果が低い窓ガラスを使用した開口部と日射遮蔽装置との間での温度上昇は避けられず、またこの温度上昇は屋内において起こるために屋内の温度上昇に影響を及ぼす。これに対し、日射遮蔽装置を屋外に設置した場合、日射遮蔽装置は開口部に入射する前に日射を遮蔽しているため、屋内における日射遮蔽装置と開口部との間での温度上昇は発生しにくく、また、日射遮蔽装置自体の温度が日射により上昇しても、外気にさらされているために屋内の温度はこの温度上昇に影響されない。
【０００３】
また、屋外に設置される日射遮蔽装置として、屋外において窓の上方に配置されている構造物（窓庇）の下面に設けたガイドレールと、このガイドレールに沿って窓面と平行方向に移動可能に取り付けられたロールスクリーンとを備える日除けスクリーンが知られている（特許文献１参照）。この日除けスクリーンによれば、日射の方位角度に応じて移動させることによって、窓面との相対位置を変えることができ、したがって、窓から入射し得る日射を効果的に遮蔽することができる。
【先行技術文献】
【特許文献】
【０００４】
【特許文献１】特開２０１０−１３３０８６号公報
【発明の概要】
【発明が解決しようとする課題】
【０００５】
上述の日除けスクリーンによれば、ロールスクリーンがガイドレールに沿って所望の位置にスライドされた後、地面に固定されたチェーンロープにスクリーンの先端部の引出部を引っ掛けることによってスクリーンが固定されるが、ロールスクリーンはガイドレールに沿って移動可能な状態にある。そのため、スクリーンが風に煽られてロールスクリーンがガイドレールに沿って移動してしまう可能性がある、という問題があった。スクリーンが地面に固定されている状態においてロールスクリーンがガイドレールに沿って移動すると、スクリーンに想定されていない力が掛かることによって、スクリーンの変形、スクリーンと接続された部材の変形が生じ、ひいては、スクリーンを巻き上げた際に巻き乱れが発生することとなる。
【０００６】
そこで、本発明は、このような問題に鑑みてなされたもので、その目的とするところは、日射遮蔽材を窓面に対し相対的に移動可能且つ固定可能な日射遮蔽装置を提供することにある。
【課題を解決するための手段】
【０００７】
上記課題を解決するために、本実施形態における日射遮蔽装置は、開口部を有する建物から室外へ突出する突出物の下面に固定される長尺のレール（１３）と、レールの長手方向において所定幅を有し、開口部の少なくとも一部から建物内へ入射する直射光を遮蔽可能な日射遮蔽材（１１）と、日射遮蔽材の幅方向へ移動可能に上方からレールに吊持され、日射遮蔽材を垂下する本体（１０）と、本体を上下に挿通する部材であって、本体の上方から突出してレールに係合する係合部（１５ａ）と、本体の下方から突出して係合部によるレールとの係合を解除する操作部（１５ｂ）とを有するストッパ（１５）とを備える。
【発明の効果】
【０００８】
本発明によれば、日射遮蔽材を窓面に対し相対的に移動可能且つ固定可能とすることができる。
【図面の簡単な説明】
【０００９】
【図１】本実施形態に係る日射遮蔽装置を正面から見た概略図である。
【図２】設置された日射遮蔽装置を側面から見た概略図である。
【図３】日射遮蔽装置と窓面と日射との関係を示す概略図である。
【図４】スクリーンが巻取られた開状態における日射遮蔽装置を示す側面図である。
【図５】スクリーンが巻解かれた閉状態における日射遮蔽装置を示す側面図である。
【図６】ランナの構成を示す正面図である。
【図７】レールの構成を示す正面断面図である。
【図８】係止状態にある日射遮蔽装置の構成を示す側断面図である
【図９】解除状態にある日射遮蔽装置の構成を示す側断面図である。
【図１０】案内状態にある日射遮蔽装置の構成を示す側断面図である。
【発明を実施するための形態】
【００１０】
以下に添付図面を参照しながら、本発明の好適な実施形態について詳細に説明する。
【００１１】
（日射遮蔽装置の全体構成）
まず、本実施の形態に係る日射遮蔽装置の全体構成について、図１〜図３を参照しながら説明する。図１は、本実施形態に係る日射遮蔽装置を正面から見た概略図である。図２は、設置された日射遮蔽装置を側面から見た概略図である。図３は、日射遮蔽装置と窓面と日射との関係を示す概略図である。以降の説明において、日射遮蔽装置の長手方向を側方、設置された日射遮蔽装置を側方から見た場合に、設置面側（例えば開口窓側）を後側、その逆（例えば室外側）を前側として説明する。
【００１２】
図１〜図３に示すように、本実施の形態において、日射遮蔽装置１は、建物の室外にあるベランダＶにおいて建物の開口部に設けられた開口窓２１、２２へ入射し得る日射を遮蔽するように、開口窓２１、２２と所定距離を空けて設置され、本体１０、スクリーン１１、ウェイトバー１２、レール１３、ランナ１４、ストッパ１５を備える。本体１０は、所定幅及び所定長さを有するスクリーン１１をその内部に収容可能にスクリーン１１の幅方向に長尺に構成されたものである。スクリーン１１は、日射遮蔽材であり、所定幅及び所定長さに形成された遮光生地からなり、長さ方向に巻取られて本体１０内部に収容されるとともに、巻解かれて本体１０から垂下する。ウェイトバー１２は、スクリーン１１の本体１０から垂下する長さ方向一端に幅方向全域に亘って接続される長尺の部材であり、その長手方向中央近傍にプルコード１２１の上端が連結され、長手方向両端近傍に固定ベルト１２２の一端が連結される。プルコード１２１は、スクリーン１１を巻解いて本体１０から垂下させるための操作手段である。固定ベルト１２２は、スクリーン１１が垂下された状態においてベランダの手すり２０等の構造物に巻き付けられてウェイトバー１２の位置を固定することによって、スクリーン１１が垂下された状態を維持する。
【００１３】
レール１３は、スクリーン１１の幅方向に少なくとも本体１０以上の長さとなるように構成され、開口窓２１、２２の上部の壁から室外側へ突出した構造物の下面を固定面として、その長手方向が開口窓２１、２２の窓面に対して略平行となるように固定面に設置される。２つのランナ１４は、本体１０の長手方向両端部近傍に設けられる。また、それぞれのランナ１４は、本体１０の上面に一端が固定的に連結されるとともに、他端がレール１３に対してレール１３の長手方向に移動可能に接続され、したがって、本体１０は、ランナ１４を介してレール１３にその長手方向に移動可能に接続される。ストッパ１５は、本体１０に対して上下方向にのみ移動可能に構成された長尺な棒状の部材であり、レール１４に係止することで本体１０のレール１３の長手方向への移動を規制する。
【００１４】
上述したように、本体１０をレール１３の長手方向、即ち、開口窓２１、２２の窓面に対して平行に延在する方向にスライドさせることによって、図３に示すように、開口窓２１、２２全体を遮蔽しなくとも、太陽の方位に合わせて本体１０を移動させることで、一方の室内空間に設置された開口窓２１からの日射の入射を防ぐことができ、他方の室内空間に設置された開口窓２２から日射の入射を防ぐ場合には、太陽の方位に合わせて本体１０を移動させる。
【００１５】
（スクリーンの動作）
次に、日射遮蔽装置における係止状態及びスクリーンの動作について説明する。図４は、スクリーンが巻取られた開状態における日射遮蔽装置を示す側面図である。図５は、スクリーンが巻解かれた閉状態における日射遮蔽装置を示す側面図である。なお、図４、図５においては、説明上、固定ベルトを省略した日射遮蔽装置が示されている。
【００１６】
図４、図５に示すように、日射遮蔽装置１は、本体１０がランナ１４を介してレール１３に接続され、且つストッパ１５による係止によってレール１３の長手方向への移動を規制されている係止状態において、スクリーン１１の開閉がなされる。
【００１７】
ここで、係止状態についてこれに関わる構成も含めて詳細に説明する。本体１０の長手方向両端に固定的に連結された２つのランナ１４は、それぞれ、前後方向に異なる位置に設けられた前側ランナ１４ａと後側ランナ１４ｂとを有する。レール１３は、前後方向に異なる位置に設けられた前側レール１３ａと後側レール１３ｂとを有する。前側ランナ１４ａは前側レール１３ａにその長手方向に移動可能に接続され、後側ランナ１４ｂは後側レール１３ｂにその長手方向に移動可能に接続される。前後方向において前側レール１３ａと後側レール１３ｂとの間には案内部１３０としての間隙が存在し、この間隙はレール１３の長手方向全域に亘って延在する溝として形成される。この案内部１３０としての溝は上下方向における上側が溝底となっており、この溝底にはレール１３の長手方向に所定間隔を空けて複数の係合孔１３１が形成される。ストッパ１５は、本体１０を上下方向に挿通し、本体１０の上面から突出した上端に係合部１５ａを有し、本体１０の下面から突出した下端に操作部１５ｂを有する。係合部１５ａは、案内部１３０の係合孔１３１へ下側から挿通することによって、ストッパ１５がレール１３の長手方向へ動くことを係止し、したがって、ストッパ１５が挿通されている本体１０がレール１３の長手方向に移動することが規制される。なお、日射遮断装置１の利用者が操作部１５ｂを下方に引いて係合部１５ａを下方に移動させることにより、ストッパ１５によるレール１３への係止が解除されて、係止状態が解除される。
【００１８】
このような係止状態において、日射遮蔽装置１は、図４に示すようなスクリーン１１が巻取られて本体１０に収容されている開状態から、図５に示すようにスクリーン１１が巻解かれて本体１０から垂下する閉状態に操作される。具体的には、使用者がプルコード１２１を下方向に引くことによってスクリーン１１は開状態から閉状態に操作される。スクリーン１１には、後述する本体１０内部の機構によって、巻取るための力が常時掛かっている。したがって、閉状態を維持するためには上述したように固定ベルト１２２によりスクリーン１１の下端に連結されたウェイトバー１２を本体１０の下方に位置して固定された手すり２０のような構造物に固定する必要がある。また、このことにより、閉状態においてスクリーン１１には常に巻取方向への引張力が生じ、スクリーン１１が緩むことがない。
【００１９】
（ランナ及びレールの構成）
次に、ランナ及びレールの構成について説明する。図６は、ランナの構成を示す正面図である。図７は、レールの構成を示す正面断面図である。なお、説明上、図６、図７においては前側ランナを省略して後側ランナのみを示しており、また、図７においては後側レールの一部を省略し、前後方向における係合孔中心位置において切断した断面図によりレールを示す。
【００２０】
図６に示すように、ランナ１４ｂは、下端が本体１０の上面と固定的に連結されたランナ本体１４０と、ランナ本体１４０の上端に設けられるとともにランナ本体１４０の前後へ軸が延びるように形成された回転軸１４１ｃと、ランナ本体１４０の前後にそれぞれ配置され、回転軸１４１ｃに軸支されて回転可能に設けられた前側ローラ１４１ａ及び後側ローラ１４１ｂ（不図示）とを有する。また、ランナ１４ａもランナ１４ｂと同様の構成となっている。なお、ストッパ１５は、前後方向において、ランナ１４ａとランナ１４ｂとの間に位置するように本体１０に設けられる。
【００２１】
図７に示すように、本体１０は、上述したストッパ１５による係止状態が解除されている状態（後述する解除状態ないし案内状態）において、ランナ１４のローラ１４１が回転することによって、レール１３の長手方向に移動可能となる。レール１３の案内部１３０には長手方向に所定距離毎に係合孔１３１が形成されているため、日射遮断装置１の利用者は長手方向における所望の本体１０の位置に対応する係合孔１３１が形成された位置まで本体１０を移動し、ストッパ１５とレール１３とを係止させて日射遮蔽装置１を係止状態とすることができる。また、所定距離毎に係合孔１３１形成することで、例えば集合住宅において各戸のベランダにて使用した場合には、日射遮蔽装置１の停止位置のばらつきが抑制されるため、集合住宅全体の外観意匠を向上させることができる。
【００２２】
上述したように係止状態の解除は利用者が操作部１５ｂを操作することによりなされる。操作部１５ｂは、図４及び図５に示したように、ストッパ１５の下端近傍を前後方向に貫通した孔に環状の部材を挿通することによって構成されるが、本体１０の下側からストッパ１５に対して少なくとも下方に、望ましくは更に側方にも力を掛けることができる形状となっていればよい。例えば、手により、または専用の部材が係合して下方及び側方のいずれにも力を付勢可能な形状となっていればよい。専用の部材としては、図７に示される先端が鉤状に構成された棒状の部材であるバトン９０が考えられる。バトン９０を用いて操作することによって、係止状態の解除だけでなく、本体１０の長手方向への移動をも操作部１５ｂによって行うことができ、延いては、利用者が、係止状態が解除された状態を維持したまま本体１０を移動させることが容易となる。また、バトン９０によれば、係止状態の解除、本体１０の移動に際して、利用者がスクリーン１１に直接触れることがないため、スクリーン１１の変形、汚損などが防止され、延いては日射遮蔽装置１の耐久性を向上させることができる。
【００２３】
（ストッパの動作）
次に、本体内部の構成とストッパの動作について説明する。図８は、係止状態にある日射遮蔽装置の構成を示す側断面図である。図９は、解除状態にある日射遮蔽装置の構成を示す側断面図である。図１０は、案内状態にある日射遮蔽装置の構成を示す側断面図である。なお、図８〜図１０において、プルコード及び固定ベルトは省略されている。
【００２４】
図８〜図１０に示すように、本体１０は、ケース１００及びカバー１１０により構成され、その内部に巻取パイプ１０１、サイドプレート１０２を収容する。巻取パイプ１０１は、本体１０の長手方向、即ちスクリーン１１の幅方向を軸方向とした回転軸１０１ａによりサイドプレート１０２に回転可能に支持される。また、巻取パイプ１０１は、長さ方向におけるウェイトバー１２と逆側のスクリーン１１の一端とこのスクリーン１１を巻取り及び巻解き可能に連結される。なお、巻取パイプ１０１は、その内部の機構によって本体１０の右側面から見て時計回り方向に回転力を付勢されているものとする。２つのサイドプレート１０２は、本体１０内部におけるその長手方向両端近傍位置においてそれぞれケース１００に固定され、回転軸１０１ａの軸方向両端において巻取パイプ１０１を回転可能に支持する。
【００２５】
ケース１００の上面及び下面には、ストッパ１５を上下に挿通させる孔が形成されており、上面に形成された孔にはストッパ規制部１００ａ、下面に形成された孔にはストッパ規制部１００ｂがそれぞれ設けられている。これらストッパ規制部１００ａ及び１００ｂは、ストッパ１５を挿通可能な環状の部材であり、ストッパ１５の径よりも大きく形成されたケース１００に設けられた孔に取り付けられて、ストッパ１５が上下方向以外に移動することを規制する。ストッパ１５は、その長さ方向において本体１０内部に収容される範囲内に、第１フランジ１５１と第２フランジ１５２とバネ１５３とを有する。
【００２６】
第１フランジ１５１は、ストッパ１５において、ケース１００の下面に形成された孔に設けられたストッパ規制部１００ｂとの間に、圧縮コイルばね１５３を挟む位置で外径方向に所定距離だけ突出したフランジとして形成される。第２フランジ１５２は、ストッパ１５において、第１フランジ１５１より上方の位置で外径方向に所定距離だけ突出したフランジとして形成され、ストッパ１５の所定高さ以上に上側へ移動しないようにストッパ規制部１００ａに係止する。圧縮コイルばね１５３は、ストッパ１５に挿通されてストッパ規制部１００ｂと第１フランジ１５１との間に位置し、ストッパ規制部１００ｂと第１フランジ１５１とを離間させるように上下方向に復元力を付勢する。ストッパ１５は、圧縮コイルばね１５３によって第１フランジ１５１を介して上下方向上側へ常時付勢されるとともに、第２フランジ１５２によって所定高さ以上への移動が制限される。これにより、本体１０は係止状態となる。
【００２７】
図８に示すように、本体１０の係止状態において、ストッパ１５の係合部１５ａはレール１３の案内部１３０に形成された係合孔１３１に挿通される。この際、本体１０内部においては、第２フランジ１５２が規制部１００ａに係止しており、係合部１５ａが必要以上に係合孔１３１に挿通されないようになっている。この係止状態において操作部１５ｂを用いてストッパ１５を下方へ移動させると、図９に示すように、係合部１５ａが係合孔１３１から離脱して挿通されない状態となり、日射遮蔽装置１を係止状態が解除された解除状態とすることができる。解除状態において本体１０を長手方向に移動させると、ストッパ１５が上側へ付勢されているため、係合部１５ａは溝として形成された案内部１３０において係合孔１３１が形成されていない溝底に当接することとなり、したがって、係合部１５ａは本体１０が移動される際に案内部１３０によってその前後方向における位置が溝内に収まるように溝底に当接しながら案内されることとなる。これによって、レール１３とストッパ１５との前後方向における相対的な位置関係が維持されて移動が安定し、延いては本体１０の移動後における係合孔１３１へ係合部１５ａを挿通させることが容易となる。即ち、ストッパ１５の係合部１５ａが案内部１３０の溝底に当接しながら移動すると、自動的に次の係合孔１３１に係止されることになり、本体１０をレール１３に固定することができる。
【００２８】
以上説明したように、本実施の形態に係る日射遮蔽装置によれば、本体を窓面に対して平行に延在する方向へ移動して窓から入射する日射を効果的に遮蔽することができるとともに、所望の位置に本体を移動させた後にストッパにより日射遮蔽装置を係止状態とすることによって、スクリーンに想定外の力が掛かることを防ぐことができる。なお、本実施の形態において、本体にスクリーンを収容する日射遮蔽装置としたが、スクリーンに代えて他の日射遮蔽部材を用いるようにしても良い。また、上述した日射遮蔽装置において、ストッパ１５による係止状態と解除状態との切換えは、ストッパが常時上方に付勢されるモーメンタリ動作を行うものとしたが、操作部を引くたびに係止状態と解除状態とをそれぞれ維持するオルタネイト動作と行うものとしても良い。オルタネイト機構とすることによって、本体を移動させる際に、係止部が溝底に当接しないように利用者が操作部を引いた状態を維持し続ける必要がなくなり、操作性を向上させることができる。このように構成させる場合であっても、日射遮蔽装置が解除状態にある際に、係止部が案内部の溝底に当接しない程度の溝内に収まるように構成することが望ましい。また、以上の実施形態では、ストッパ１５の係合部１５ａが係合孔１３１に係合したときに本体１０がレール１３に固定されるものとしたが、レールに係合孔を形成しないものとしても良い。このように構成することによって、レール１３の長手方向における任意の位置において、係合部１５ａが案内部１３０の溝底に圧接され、レール１３の長手方向における任意の位置に本体１０を固定することができる。さらに、以上の実施形態では、レール１３は、その長手方向が開口窓２１、２２の窓面に対して略平行となるように固定面に設置されるようにしたが、開口窓の方位に合わせて開口面に対して傾斜した角度にて設置しても良い。これにより、開口窓が北東面や北西面を向いていても、より効果的な日射遮蔽が可能となる。
【００２９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３０】
１０  本体
１１  日射遮蔽材
１３  レール
１５  ストッパ
１５ａ  係合部
１５ｂ  操作部
【図１】
2016125225.tif 000003
【図２】
2016125225.tif 000004
【図３】
2016125225.tif 000005
【図４】
2016125225.tif 000006
【図５】
2016125225.tif 000007
【図６】
2016125225.tif 000008
【図７】
2016125225.tif 000009
【図８】
2016125225.tif 000010
【図９】
2016125225.tif 000011
【図１０】
2016125225.tif 000012